(57)【要約】      （修正有）【課題】書道用具であって、自在に伸縮し、収納に便利で、多種類の用具を挟持可能で、応用範囲が広がる多機能ホルダーを提供する。【解決手段】間隔を空けて設けられている複数の第一取付穴１１１を有している第一保持ユニット１１と、間隔を空けて設けられている複数の第二取付穴１３１を有している第二保持ユニット１３と、対応する何れか１つの第一取付穴及び何れか１つの第二取付穴を取り外し可能に貫通し、第一保持ユニット及び第二保持ユニットを接合するために用いられ、且つ第一保持ユニット及び第二保持ユニットの結合長さ及び結合開角度を調整するための連接組立部材１５と、第一保持ユニットの一端に連結され、対象物を挟持可能にするための第一挟持ユニット１７と、を備えている。【選択図】図１
0003233717.tif 000002
【実用新案登録請求の範囲】
【請求項１】
間隔を空けて設けられている複数の第一取付穴を有している第一保持ユニットと、
間隔を空けて設けられている複数の第二取付穴を有している第二保持ユニットと、
対応する何れか１つの前記第一取付穴及び何れか１つの前記第二取付穴を取り外し可能に貫通し、前記第一保持ユニット及び前記二保持ユニットを接合するために用いられ、且つ前記第一保持ユニット及び前記二保持ユニットの結合長さ及び結合開角度を調整するための連接組立部材と、
前記第一保持ユニットの一端に連結され、対象物を挟持可能にするための第一挟持ユニットと、を備えていることを特徴とする多機能ホルダー。
【請求項２】
前記第二保持ユニットの一端に連結され、対象物を挟持可能にするための第二挟持ユニットをさらに有していることを特徴とする請求項１に記載の多機能ホルダー。
【請求項３】
前記第一保持ユニット及び前記第二保持ユニットは長い板体であることを特徴とする請求項１に記載の多機能ホルダー。
【請求項４】
前記連接組立部材はボルト及び蝶ナットを備え、前記ボルトにはおねじが設けられ、前記蝶ナットの両側には前記蝶ナットを回転させて締緩しやすくするため翼部がそれぞれ設けられていることを特徴とする請求項１に記載の多機能ホルダー。
【請求項５】
前記第一挟持ユニット及び前記第二挟持ユニットは対称になる２つの挟持部を各々備え、各前記挟持部は中央部位の両辺に凸部がそれぞれ設けられ、各前記凸部には軸孔が各々設けられ、シャフトにはトーションスプリングが枢着されていると共に２つの前記挟持部の両辺の凸部の軸孔を貫通し、前記トーションスプリングの両端は２つの挟持部に各々当接され、２つの挟持部が対象物を挟持するための弾性挟持力を有することを特徴とする請求項１または２に記載の多機能ホルダー。
【請求項６】
前記第一挟持ユニットのうちの１つの挟持部には貫通孔が設けられ、枢着組立部材が前記貫通孔及び前記第一保持ユニットの前記第一取付穴を貫通して前記第一保持ユニットに枢設されていることを特徴とする請求項１に記載の多機能ホルダー。
【請求項７】
前記第二挟持ユニットのうちの１つの挟持部には貫通孔が設けられ、枢着組立部材が前記貫通孔及び前記第二保持ユニットの何れか１つの前記第二取付穴を貫通して前記第二保持ユニットに枢設されていることを特徴とする請求項２に記載の多機能ホルダー。
【請求項８】
前記枢着組立部材はボルト及び蝶ナットを備え、前記ボルトにはおねじが設けられ、前記蝶ナットの両側には前記蝶ナットを回転させて締緩しやすくするための翼部がそれぞれ設けられていることを特徴とする請求項６または７に記載の多機能ホルダー。
【請求項９】
前記第一挟持ユニット及び前記第二挟持ユニットは筆、棉布等を挟持可能であることを特徴とする請求項１または２に記載の多機能ホルダー。
【考案の詳細な説明】
【技術分野】
【０００１】
本考案は、書道用具に関し、更に詳しくは、自在に伸縮し、収納が便利であり、長さを伸ばしたり、角度を開くことができ、多種類の用具を挟持可能で、応用範囲が広がる多機能ホルダーに関する。
【背景技術】
【０００２】
書道は文字を書く作法であり、書法の芸術である。周知のように、書道は筆を使って書を揮毫するものであり、筆は中国の伝統的な書道用具であり、中国の文房四宝の１つとなっている。伝統的な筆は主に筆菅の一端に穂が結合され、執筆時には、まず小判の画仙紙を机の上に敷き、親指、人差し指、及び中指で筆菅を持ち、腕、指、肘を移動させて書を揮毫する。通常、これらは全て机の範囲内で行われる。
【考案の概要】
【考案が解決しようとする課題】
【０００３】
しかしながら、書道の練習方法も懸腕法及び提腕法の２種類に分けられる。提腕法は揮毫しやすく感じるが、小さい字は書けても大きな字は書きにくく、大きな書画を揮毫する場合は懸腕法を用いる必要がある。また、大きな机で揮毫する場合、腕から肘まで宙に浮かせ、机面に接触しないようにするが、半分まで揮毫した後に用紙を動かさなければならなくなることがあり、大胆に筆を運んで揮毫することはできなかった。また、伝統的な書の作法は筆の所定の長さにより制限され、人の腕を伸ばせる長さには限界があるため、懸腕力を相当鍛えていなければ太くて大きい筆を上手く動かすことはできず、大判の画仙紙に大きな書画を揮毫することは容易ではなかった。
【０００４】
書道愛好家にとって、補助的な用具により、書家が大判の画仙紙で大きな書画を揮毫し、創作することを補助できることが望まれていた。
【０００５】
そこで、本考案者は上記の欠点が改善可能と考え、鋭意検討を重ねた結果、合理的設計で上記の課題を効果的に改善する本考案の提案に至った。
【０００６】
本考案は、上記問題点に鑑みて本発明者の鋭意研究により成されたものであり、その目的は、多機能ホルダーを提供することにある。
【課題を解決するための手段】
【０００７】
上記課題を解決するために、本考案のある態様の多機能ホルダーは、
間隔を空けて設けられている複数の第一取付穴を有している第一保持ユニットと、
間隔を空けて設けられている複数の第二取付穴を有している第二保持ユニットと、
対応する何れか１つの前記第一取付穴及び何れか１つの前記第二取付穴を取り外し可能に貫通し、前記第一保持ユニット及び前記二保持ユニットを接合するために用いられ、且つ前記第一保持ユニット及び前記二保持ユニットの接合長さ及び接合開角度を調整するための連接組立部材と、
前記第一保持ユニットの一端に連結され、対象物を挟持可能にするための第一挟持ユニットと、を備えている。
【０００８】
本考案の好適例において、前記第二保持ユニットの一端に連結され、対象物を挟持可能にするための第二挟持ユニットをさらに有している。
【０００９】
本考案の好適例において、前記第一保持ユニット及び前記第二保持ユニットは長い板体である。
【００１０】
本考案の好適例において、前記連接組立部材はボルト及び蝶ナットを備え、前記ボルトにはおねじが設けられ、前記蝶ナットの両側には前記蝶ナットを回転させて締緩しやすくするため翼部がそれぞれ設けられている。
【００１１】
本考案の好適例において、前記第一挟持ユニット及び前記第二挟持ユニットは対称になる２つの挟持部を各々備え、各前記挟持部は中央部位の両辺に凸部がそれぞれ設けられ、各前記凸部には軸孔が各々設けられ、シャフトにはトーションスプリングが枢着されていると共に２つの前記挟持部の両辺の凸部の軸孔を貫通し、前記トーションスプリングの両端は２つの挟持部に各々当接され、２つの挟持部が対象物を挟持するための弾性挟持力を有する。
【００１２】
本考案の好適例において、前記第一挟持ユニットのうちの１つの挟持部には貫通孔が設けられ、枢着組立部材が前記貫通孔及び前記第一保持ユニットの前記第一取付穴を貫通して前記第一保持ユニットに枢設されている。
【００１３】
本考案の好適例において、前記第二挟持ユニットのうちの１つの挟持部には貫通孔が設けられ、枢着組立部材が前記貫通孔及び前記第二保持ユニットの何れか１つの前記第二取付穴を貫通して前記第二保持ユニットに枢設されている。
【００１４】
本考案の好適例において、前記枢着組立部材はボルト及び蝶ナットを備え、前記ボルトにはおねじが設けられ、前記蝶ナットの両側には前記蝶ナットを回転させて締緩しやすくするための翼部がそれぞれ設けられている。
【００１５】
本考案の好適例において、前記第一挟持ユニット及び前記第二挟持ユニットは筆、棉布等を挟持可能である。
【考案の効果】
【００１６】
本考案は、従来の書道用具では書家の腕の長さの範囲内で小判の画仙紙にしか揮毫できず、大判の画仙紙で大きな書画を考案することができないという欠点を解決する。また、本考案に係る多機能ホルダーは、自在に伸縮し、長さを伸ばし、適度な角度に開くことができ、筆、棉布等の用具を挟持可能である。その応用範囲を広げ、大きな書画を創作可能にし、多機能性を備えている。
【図面の簡単な説明】
【００１７】
【図１】本考案の第１実施形態に係る多機能ホルダーを示す外観概略構成図である。
【図２】本考案の第１実施形態に係る多機能ホルダーを示す分解概略図である。
【図３】本考案の第１実施形態に係る多機能ホルダーを示す平面組み合せ断面図である。
【図４】本考案の第１実施形態に係る多機能ホルダーを折りたたんで収納する外観概略構成図である。
【図５】本考案の第１実施形態に係る多機能ホルダーが対象物を挟持する概略図である。
【図６】本考案の第１実施形態に係る多機能ホルダーが対象物を挟持する概略図である。
【図７】本考案の第２実施形態に係る多機能ホルダーを示す外観概略構成図である。
【考案を実施するための形態】
【００１８】
以下、本考案の実施の形態について、図面を参照して詳細に説明する。なお、本考案は以下の例に限定されるものではなく、本考案の要旨を逸脱しない範囲で、任意に変更可能であることは言うまでもない。
（第１実施形態）
【００１９】
以下、本考案の第１実施形態に係る多機能ホルダー１０を図１〜６に基づいて説明する。
本考案の第１実施形態に係る多機能ホルダー１０は、墨汁や顔料を染み込ませたり吸着することが可能な筆、棉布等の対象物Ｓを挟持するために用いられ、ユーザーは本考案の多機能ホルダー１０を持って書画を揮毫する。前記多機能ホルダー１０は第一保持ユニット１１と、第二保持ユニット１３と、連接組立部材１５と、第一挟持ユニット１７と、を備えている。
【００２０】
前記第一保持ユニット１１は長い板体であり、適度な長さ及び幅を有し、複数の第一取付穴１１１が間隔を空けて設けられている。
【００２１】
前記第二保持ユニット１３は長い板体であり、適度な長さ及び幅を有し、複数の第二取付穴１３１が間隔を空けて設けられている。
【００２２】
前記連接組立部材１５はボルト１５１及び蝶ナット１５２を備え、前記ボルト１５１にはおねじ１５１１が設けられ、前記蝶ナット１５２の両側には前記蝶ナット１５２を回転させて締緩しやすくするための翼部１５２１がそれぞれ設けられている。前記ボルト１５１は前記第一保持ユニット１１の何れか１つの前記第一取付穴１１１及び前記第二保持ユニット１３の何れか１つの前記第二取付穴１３１を貫通した後、前記蝶ナット１５２に前記ボルト１５１を螺入することでロックし、前記第一保持ユニット１１及び前記第二保持ユニット１３の接合を完成する。
【００２３】
前記第一挟持ユニット１７は前記第一保持ユニット１１の一端に連結され、対象物Ｓを挟持可能にする。前記第一挟持ユニット１７は対称になる２つの挟持部１７１を備え、各前記挟持部１７１は中央部位の両辺に凸部１７２がそれぞれ設けられ、各前記凸部１７２には軸孔が各々設けられ、シャフト１７３にはトーションスプリング１７４が枢着されていると共に２つの前記挟持部１７１の両辺の凸部１７２の軸孔を貫通する。前記トーションスプリング１７４の両端（図示せず）は２つの前記挟持部１７１に各々当接され、２つの前記挟持部１７１は対象物Ｓを挟持するための弾性挟持力を有している。また、前記第一挟持ユニット１７のうちの１つの挟持部１７１には貫通孔１７５が設けられ、枢着組立部材１８により前記第一挟持ユニット１７が前記第一保持ユニット１１に枢設されている。前記枢着組立部材１８はボルト１８１及び蝶ナット１８２を含み、前記ボルト１８１は前記貫通孔１７５及び前記第一保持ユニット１１の前記第一取付穴１１１を貫通し、おねじ１８１１により前記蝶ナット１８２と螺合する。前記蝶ナット１８２の両側には翼部１８２１が設けられ、前記蝶ナット１８２を回転させて締緩しやすくする効果を提供する。当然ながら、前記第一挟持ユニット１７の構造及び大きさは、対称になる２つの挟持部１７１を有し、対象物Ｓを挟持可能な構造であればよく、本明細書及び図面に示されるものに限られない。
【００２４】
本考案に係る多機能ホルダー１０は、前記第一保持ユニット１１及び前記第二保持ユニット１３を接合し、且つ前記第一保持ユニット１１及び前記第二保持ユニット１３の接合長さ及び形態は改変や調整が可能である。図３に示されるように、ユーザーは前記第一保持ユニット１１の何れか１つの前記第一取付穴１１１及び前記第二保持ユニット１３の何れか１つの前記第二取付穴１３１を選択して接合し、前記第一保持ユニット１１及び前記第二保持ユニット１３を接合して長い直線状形態を形成する。これにより、大判の画仙紙で大きな書画を揮毫及び創作可能となり、大胆に筆を揮ってダイナミックに筆を運ぶことができるようになり、超大判の書画を素早く力強く揮毫できるようになる。或いは、前記第一保持ユニット１１及び前記第二保持ユニット１３を折りたたんで収納し、接合して短い直線状形態を形成し（図４参照）、机の範囲内で懸腕法または提腕法の練習に適用してもよい。また、前記第一保持ユニット１１及び前記第二保持ユニット１３は角度を開いた結合形態としてもよく（図１、図２参照）、これにより空間の大きさ、想像性、需要の違いに対応し、書道の想像力を広げ、机面や床の空間設計に対応し、揮毫時に用紙を動かす必要がなくなる。本考案の前記第一保持ユニット１１及び前記第二保持ユニット１３は自在に伸縮し、収納が便利であり、長さを伸ばしたり、角度を開くことができる。使用時には、ユーザーが前記第一保持ユニット１１または前記第二保持ユニット１３を手に持ち、前記第一挟持ユニット１７の前記２つの挟持部１７１により対象物Ｓの筆（図５参照）や棉布（図６参照）を挟持し、筆や棉布等に墨汁や顔料を染み込ませたり吸着して揮毫する。一般的な筆での書画形態のみならず、棉布により筆の筆先を代替してもよく、異なる筆の線の太さの設計をさらに提供し、本考案に係る多機能ホルダー１０が予期する考案の目的を達成させる。
（第２実施形態）
【００２５】
図７は本考案の第２実施形態に係る多機能ホルダー１０を示す外観概略構成図である。本考案に係る多機能ホルダー１０の好ましい第２実施形態の好ましい第１実施形態との差異は、前記第二保持ユニット１３の一端に連結されている第二挟持ユニット１９をさらに有し、前記第二挟持ユニット１９の構造及び設置方式は前述の前記第一挟持ユニットと同じであるため再述はしない。前記第二挟持ユニット１９は同様に対象物Ｓを挟持可能にし、前記対象物Ｓにより揮毫し、異なる書風や太さの線が必要な場合でも筆を交換する必要がなく、時間を節約できる。
【００２６】
上述の構造により、本考案に係る多機能ホルダー１０は取り外し可能な方式で前記連接組立部材１５の前記蝶ナット１５２を緩め、前記ボルト１５１を取り外し、前記第一保持ユニット１１及び前記第二保持ユニット１３を調整して何れか１つの第一結合孔１１１を何れか１つの第二結合孔１３１に対応させ、前記ボルト１５１を対応する前記第一結合孔１１１及び前記第二結合孔１３１に再度枢着させた後に前記蝶ナット１５２を締めて接合を完成させる。また、本考案の前記第一保持ユニット１１及び前記第二保持ユニット１３は自在に伸縮して長さを改変し、或いは前記第一保持ユニット１１及び前記第二保持ユニット１３を所定の角度開いた形態とすることで、ユーザーは第一保持ユニット１１または前記第二保持ユニット１３を持ち、前記第一挟持ユニット１７により挟持した対象物Ｓ（筆や棉布）に墨汁や顔料を染み込ませ、書道愛好家が小さい机の上に小判の画仙紙を敷いて座って書画を揮毫できるようにする。或いは床の上に大判の画仙紙を敷き、立ったままダイナミックに揮毫することも可能にする。本考案に係る多機能ホルダー１０は従来の書道用具では書家の腕の長さの範囲内で小判の画仙紙にしか揮毫できず、大判の画仙紙で大きな書画を創作できないという欠点を解決し、自在に伸縮して長さを伸ばしたり、角度を開くことができ、さらには筆や棉布等の用具を挟持して応用範囲を広げ、大きな書画を創作可能にする効果を達成し、予期する考案の目的を確実に達成する。
【００２７】
本考案に係る多機能ホルダー１０の前記第一保持ユニット１１及び／または前記第二保持ユニット１３は前記連接組立部材１５により長さを変え、開閉させ、平らにしたり短く立てることもできる。前記第一挟持ユニット１７及び第二挟持ユニット１９により各種筆を挟持して書画の筆運びを利便にし、或いは筆を寝かせたり立てて（斧筆ともいう）揮毫することもでき、筆を操りやすくなり、使いやすく、書を学びやすくなり、老若男女問わず使用できる。本考案に係る多機能ホルダー１０を使用することで視野や思考が広がり、情熱を思うままに書に込めて表現でき、創造性をさらに存分に発揮できるようになる。
【００２８】
本考案は、その精神または主要な特徴から逸脱することなく、他のいろいろな形態で実施することができる。そのため、上述の実施形態はあらゆる点で単なる例示に過ぎず、限定的に解釈してはならない。本考案の範囲は実用新案登録請求の範囲によって示すものであって、明細書本文には何ら拘束されない。更に、実用新案登録請求の範囲の均等範囲に属する変形や変更は、すべて本考案の範囲内のものである。
【符号の説明】
【００２９】
１０  多機能ホルダー
１１  第一保持ユニット
１１１  第一取付穴
１３  第二保持ユニット
１３１  第二取付穴
１５  連接組立部材
１５１  ボルト
１５１１  おねじ
１５２  蝶ナット
１５２１  翼部
１７  第一挟持ユニット
１７１  挟持部
１７２  凸部
１７３  シャフト
１７４  トーションスプリング
１７５  貫通孔
１８  枢着組立部材
１８１  ボルト
１８１１  おねじ
１８２  蝶ナット
１８２１  翼部
Ｓ  対象物
【図１】
0003233717.tif 000003
【図２】
0003233717.tif 000004
【図３】
0003233717.tif 000005
【図４】
0003233717.tif 000006
【図５】
0003233717.tif 000007
【図６】
0003233717.tif 000008
【図７】
0003233717.tif 000009
【手続補正書】
【提出日】令和3年6月29日(2021.6.29)
【手続補正１】
【補正対象書類名】実用新案登録請求の範囲
【補正対象項目名】全文
【補正方法】変更
【補正の内容】
【実用新案登録請求の範囲】
【請求項１】
間隔を空けて設けられている複数の第一取付穴を有している第一保持ユニットと、
間隔を空けて設けられている複数の第二取付穴を有している第二保持ユニットと、
対応する何れか１つの前記第一取付穴及び何れか１つの前記第二取付穴を取り外し可能に貫通し、前記第一保持ユニット及び前記第二保持ユニットを接合するために用いられ、且つ前記第一保持ユニット及び前記第二保持ユニットの結合長さ及び結合開角度を調整するための連接組立部材と、
前記第一保持ユニットの一端に連結され、対象物を挟持可能にするための第一挟持ユニットと、を備えていることを特徴とする多機能ホルダー。
【請求項２】
前記第二保持ユニットの一端に連結され、対象物を挟持可能にするための第二挟持ユニットをさらに有していることを特徴とする請求項１に記載の多機能ホルダー。
【請求項３】
前記第一保持ユニット及び前記第二保持ユニットは長い板体であることを特徴とする請求項１に記載の多機能ホルダー。
【請求項４】
前記連接組立部材はボルト及び蝶ナットを備え、前記ボルトにはおねじが設けられ、前記蝶ナットの両側には前記蝶ナットを回転させて締緩しやすくするため翼部がそれぞれ設けられていることを特徴とする請求項１に記載の多機能ホルダー。
【請求項５】
前記第一挟持ユニット及び前記第二挟持ユニットは対称になる２つの挟持部を各々備え、各前記挟持部は中央部位の両辺に凸部がそれぞれ設けられ、各前記凸部には軸孔が各々設けられ、シャフトにはトーションスプリングが枢着されていると共に２つの前記挟持部の両辺の凸部の軸孔を貫通し、前記トーションスプリングの両端は２つの挟持部に各々当接され、２つの挟持部が対象物を挟持するための弾性挟持力を有することを特徴とする請求項２に記載の多機能ホルダー。
【請求項６】
前記第一挟持ユニットのうちの１つの挟持部には貫通孔が設けられ、枢着組立部材が前記貫通孔及び前記第一保持ユニットの前記第一取付穴を貫通して前記第一保持ユニットに枢設されていることを特徴とする請求項１に記載の多機能ホルダー。
【請求項７】
前記第二挟持ユニットのうちの１つの挟持部には貫通孔が設けられ、枢着組立部材が前記貫通孔及び前記第二保持ユニットの何れか１つの前記第二取付穴を貫通して前記第二保持ユニットに枢設されていることを特徴とする請求項２に記載の多機能ホルダー。
【請求項８】
前記枢着組立部材はボルト及び蝶ナットを備え、前記ボルトにはおねじが設けられ、前記蝶ナットの両側には前記蝶ナットを回転させて締緩しやすくするための翼部がそれぞれ設けられていることを特徴とする請求項６または７に記載の多機能ホルダー。
【請求項９】
前記第一挟持ユニット及び前記第二挟持ユニットは筆もしくは棉布を挟持可能であることを特徴とする請求項２に記載の多機能ホルダー。